(57)【要約】【課題】自動車のタイヤや人間の腕などに簡単に取り付けられ、簡便な構造でコンパクト設計ながら、自ら発光する発光体を提供する。【解決手段】内部２ａが中空のリング体２の外周にコイル３が巻装され、リング体２の中空内部２ａに磁石５を遊動自在に配置して成る発電部６が、タイヤ９等に着脱自在な保護ケース体１に装着され、発電部６のコイル３の端部が保護ケース体１の表面に配置された発光体（ＬＥＤ）７に接続されており、前記発電部６の磁石５がリング体１内で回転運動することにより生じる誘導電流によって発光体７が自ら発光自在に構成した。【選択図】        図１
0003103386.tif 000002
【実用新案登録請求の範囲】
【請求項１】
内部が中空のリング体の外周にコイルが巻装され、前記リング体の中空内部に磁石が遊動自在に配置されて成る発電部が、タイヤ等に着脱自在な保護ケース体に装着され、前記発電部のコイルの端部が保護ケース体表面に配置された発光体に接続されており、前記発電部の磁石がリング体内で回転運動することにより生じる誘導電流によって前記発光体が発光自在に構成されていることを特徴とする、タイヤ等に着脱自在な発光装置。
【請求項２】
コイルは、隣り合うコイルとの間に当該コイルが巻装されない非巻装領域を設けて、リング体の外周に複数巻装されていることを特徴とする、請求項１に記載したタイヤ等に着脱自在な発光装置。
【請求項３】
発光体がＬＥＤであることを特徴とする、請求項１に記載したタイヤ等に着脱自在な発光装置。
【請求項４】
保護ケース体は、タイヤの空気バルブ又はディスク又はホイールカバー又はスポークに設置されたベース部材に対し、着脱自在に構成されていることを特徴とする、請求項１に記載したタイヤ等に着脱自在な発光装置。
【考案の詳細な説明】
【技術分野】
【０００１】
本考案はタイヤ等に着脱自在な発光装置に係り、さらに言えば、自動車や自転車、スケートボード、ローラースケートのタイヤや、人間の腕や手首などに取り付け、電池等の電源を不要ならしめ、誘導電流により自ら発光する発光体（ＬＥＤ）で装飾効果や安全性を高める発光装置の技術分野に関する。
【背景技術】
【０００２】
自ら発光するタイプの発光装置を自転車のタイヤに取り付けたものとして、例えば特開２０００−１０８９６４号公開特許公報に記載の発光装置が公知である。同公報には、スポークに取り付けられた磁石と、複数個の電磁コイルと該電磁コイルに接続された発光手段とが収納されると共に、車軸上に対して固定されるケース体とを有し、前記ケース体は、二輪車のフレームに対応した切り欠き部を有する構成の二輪車用発光装置が開示されている。
【０００３】
また、自動車のタイヤに取り付ける発光式のホイールカバーが登録第３０６０４６７号登録実用新案公報に記載されている。同公報には、電磁誘導の方式を利用して電流を発生し、ホイールカバーに電磁誘導装置と複数のバルブが設けられ、該ホイールカバーがリムに係止され、自動車が起動してタイヤが回転することで、該ホイールカバーが連動して回転し、ホイールカバーに設置された電磁誘導装置内のコイルが磁石の回りを回動し、コイルに電磁誘導が発生して電流が発生し、該コイルに連接するバルブが電流の通過によりフラッシュを発生するホイールカバーが開示されている。
【特許文献１】特開２０００−１０８９６４号公開特許公報
【特許文献２】登録第３０６０４６７号登録実用新案公報
【考案の開示】
【考案が解決しようとする課題】
【０００４】
前記特開２０００−１０８９６４号公開特許公報に記載の二輪車用発光装置は、磁石をスポークに取り付ける手間のみならず、複数個の電磁コイルと該電磁コイルに接続された発光手段とが収納され、車軸上に対して固定されるケース体とを製作し、当該ケース体を二輪車のフレームに取り付けなければならず面倒である上、そのように自転車のスポーク及びフレームに限っての取り付けという制約がある。
【０００５】
次に、登録第３０６０４６７号登録実用新案公報に記載の発光式ホイールカバーは、自動車のタイヤに取り付けられ電磁誘導原理を利用するものの、発光させるためのホイールカバーに組み込む電磁誘導装置の構造が複雑である。
【０００６】
したがって、本考案の目的は、自動車や自転車、スケートボードのようにタイヤを有する場合の当該タイヤや、人間の腕などに取り付けられて用途が幅広く、しかも簡便な構造でコンパクト設計ながら、電磁誘導の原理により発生させた電流で自ら発光する発光体（ＬＥＤ）を、前記タイヤ等の被取り付け部材に簡便かつ確実に着脱自在な発光装置を提供することにある。
【課題を解決するための手段】
【０００７】
上記課題を解決するための手段として、請求項１記載の考案に係るタイヤ等に着脱自在な発光装置は、内部２ａが中空のリング体２の外周にコイル３を巻装し、前記リング体２の中空内部２ａに磁石５を遊動自在に配置して成る発電部６を、タイヤ９等に着脱自在な保護ケース体１に装着し、前記発電部６のコイル３の端部を保護ケース体１の表面に配置された発光体７に接続しており、前記発電部６の磁石５がリング体１内で回転運動することにより生じる誘導電流によって前記発光体７が発光自在に構成したことを特徴とする。
【０００８】
請求項２記載の考案のタイヤ等に着脱自在な発光装置は、前記コイル３が、隣り合うコイル３、３との間に当該コイル３が巻装されない非巻装領域Ｓを設けて、リング体２の外周に複数巻装したことを特徴とする。
【０００９】
請求項３記載の考案のタイヤ等に着脱自在な発光装置は、前記発光体７がＬＥＤであることを特徴とする。
【００１０】
請求項４記載の考案のタイヤ等に着脱自在な発光装置は、前記保護ケース体１を、タイヤ９の空気バルブ９ａ又はディスク又はホイールカバー又はスポークに予め設置したベース部材８に対し、着脱自在に構成したことを特徴とする。
【考案の効果】
【００１１】
請求項１記載の考案のタイヤ等に着脱自在な発光装置は、リング体の外周にコイルが巻装され、リング体の中空内部に磁石が遊動自在に配置されて成る発電部が保護ケース体に装着され、コイル端部が発光体に接続し、発電部の磁石がリング体内で回転運動することにより生じる誘導電流によって発光体が自ら発光する構成であるから、コンパクト設計で製作コストの低減が図れる上、光装飾効果や安全性の向上に寄与する。また、電池等の外部電力が不要なため、維持コストの低減にも貢献する。
【００１２】
さらに、タイヤの空気バルブ等に対し、当該保護ケース体を簡便且つ確実に取り付けられ、作業性が向上される上、装飾性や安全性が高められる。また、当該発電部の磁石がリング体内で回転運動できればよく、人間の腕や手首などに取り付けて実施でき、ジョギング時の警告やブレスレットとしてのアクセサリー、子供の遊戯具としても使用できる多用途性も併有している。
【００１３】
請求項２記載の考案によれば、コイルは、隣り合うコイルとの間に当該コイルが巻装されない非巻装領域を設けてリング体の外周に複数巻装されており、コイルに磁界の変化が生じ電流が生じ易いので、発光体（ＬＥＤ）を確実に発光させることができる。
【００１４】
請求項３記載の考案によれば、発光体がＬＥＤであるので、輝度が明るく装飾効果に優れる上、耐用寿命が長く維持コストの低減にも寄与する。
【００１５】
請求項４記載の考案によれば、保護ケース体は、タイヤの空気バルブ又はディスク又はホイールカバー又はスポークに予め設置されたベース部材に対し、着脱自在に構成されているので、自動車ばかりでなく自転車やローラースケートやスケートボードといったタイヤが備え付けられている当該タイヤに直接又は空気バルブやスポークを利用して取り付けられる利便性に優れている。或いは自動車タイヤの場合、ディスクやホイールカバーに取り付けられる融通性もある。
【考案を実施するための最良の形態】
【００１６】
請求項１〜４に係る本考案のタイヤ等に着脱自在な発光装置は、自動車や自転車、スケートボードやローラースケート等のタイヤを備えた乗り物や遊戯具に対し、或いは人間の腕や手首などに対し後付けで設置し、タイヤの回転運動や手の振りに伴う振り子運動により電磁誘導を起して発生した電流によって自ら発光体（ＬＥＤ）を発光させるものである。
【００１７】
以下、本考案を実施するための最良の形態を、自転車のタイヤに取り付ける場合を例として図面に従い説明する。
【００１８】
図１は本実施形態の発光装置を内部構造の全体を示している。
【００１９】
この発光装置は保護ケース体１（高さ×幅×奥行きが各２〜３ｃｍぐらい）で覆われている。保護ケース体１の内部に発電部６が装着されている。図２、図３は発電部６の説明図である。まず、図２に示したように、内部２ａが中空のプラスチック製のリング体２の外周に、複数のコイル３・・・がそれぞれ密に巻き付けられ、且つ所定間隔をあけて巻装されている。すなわち、隣り合うコイル３、３との間に当該コイル３が巻き付けられていない非巻装領域Ｓを設けて、当該コイル３がリング体２の外周に複数巻装されている（請求項２）。後述の磁石５が通るコイル３とコイル３の間に非巻装領域Ｓを設けることで、コイル３の磁界が変化し、電流が生じ易いからである。当該リング体２の中空内部２ａに球形の磁石５が遊動自在に配置して発電部６が構成されている（図３）。
【００２０】
前記発電部６の各コイル３の＋、−の端部３ａ、３ｂ（図２）は、それぞれ一本化して電気的に接続され、基板４を介して、保護ケース体１の表面に一体化された発光体取付け用のカバー１０の発光体７に接続されている（図１）。
【００２１】
発光体７としては、請求項３記載のようにＬＥＤが好適に実施される。発光体取付け用カバー１０は、前記の如く保護ケース体に一体化成形されているもののほか、図４に示したように別部材として製作してもよい。具体的には、４個のＬＥＤ７・・・が、正面方向からみた状態を示した図４図示例のように、別部材たる円形状の発光体取付け用カバー１０の周縁部付近に均等配置で４箇所穿設された取付け孔１１に、それぞれ取り付けられている。つまり、ＬＥＤ７は、前記発光体取付け用のカバー１０によって位置決めされ、その裏面の基板４上に配設されている。なお、このＬＥＤ７の数や種類、位置は前記のように限定されるものではない。
【００２２】
保護ケース体１は、請求項４のように、ベース部材８に対して着脱自在に設置できる構成とされている（図１）。即ち、ベース部材８は、例えば着脱自在なクリップ状の挟持手段として形成し、予め図５に示したような自転車のタイヤ９の空気バルブ９ａに対し、外側から挟み込むように取り付けられている。そして、このベース部材８の前面に、ビス止め等により保護ケース体１が着脱自在に簡便に取り付けられている。
【００２３】
但し、ベース部材８は、前記のようにクリップ状の挟持手段に限定されるものではない。例えば、図示を省略したネジ止め式又はネジ込み式等であってもよい。かくして、タイヤ９の空気バルブ９ａのほか、タイヤのディスクやホイールカバー又はスポーク等に対しても、保護ケース体１は、ベース部材８を介して取り付けて実施することができる（請求項４）。
【００２４】
したがって、自転車が動き出しタイヤ９が回転し始めると、当該発光装置の発電部６の磁石５が、コイル３〜非巻装領域Ｓ〜コイル３〜非巻装領域Ｓ・・・というように交互に通過しつつ、リング体１内で回転運動をする。そうすると、コイル３・・・（リング体２）の中の磁界が変化し、電磁誘導の現象が生じ、電流が発生する（約２〜７Ｖ）。かかる誘導電流によって前面のＬＥＤ７が自ら発光しつつリング体２内を小さく回転すると共に、タイヤ９の内周縁部の軌跡を描くように大きく回転するので、夜間に外部から観察するときれいな光を放って装飾効果や安全性が高められる。
【００２５】
また、色の異なるＬＥＤ７を使用すれば、アピール度は増大するし、耐用性に優れたＬＥＤ７により長期使用が可能である。一方、ＬＥＤ７の交換などの部品交換や不使用となった際には、当該発光装置のベース部材８から楽に取り外すことができる。
【異なる実施形態】
【００２６】
下記の異なる形態によっても好適に実施される（図示は省略）。
【００２７】
まず、前記構成の発光装置を、人間の腕や手首などに取り付ける形態で実施される。ジョッギング時や遊戯時に、手の振りに伴う振り子運動によりコイル３内の磁石５が回転運動し、電磁誘導が起きて発生した電流によってＬＥＤ７が自ら発光するものである。
【００２８】
また、運動靴の透明体等の靴底における踵部分に、ベース部材８を除いた保護ケース体１を埋設する実施形態も採用可能である。歩行や走行時の足の振りにより磁石５が回転運動し、やはり電磁誘導が起きて発生した電流によってＬＥＤ７が発光する。
【００２９】
さらに、吸盤等に形成したベース部材８と保護ケース体１とをバネ体で接続する実施形態もある。当該ベース部材（吸盤）８を自動車のダッシュボードに設置すれば、自動車が走行中に揺動する際、保護ケース体１が振り子のように動く結果、磁石５の回転運動で発生する誘導電流によってＬＥＤ７が発光し、アクセサリーとしても有用である。
【図面の簡単な説明】
【００３０】
【図１】タイヤ等に着脱自在な発光装置の内部構造を示した縦断面図である。
【００３１】
【図２】リング体の外部を示した正面図である。
【００３２】
【図３】リング体の内部を示した正面図である。
【００３３】
【図４】ＬＥＤの取り付け要領を示した正面図である。
【００３４】
【図５】発光装置のタイヤへの取り付け状態を示した全体図である。
【符号の説明】
【００３５】
Ｓ      非巻装領域
１      保護ケース体
２      リング体
２ａ    中空内部
３      コイル
４      基板
５      磁石
６      発電部
７      発光体（ＬＥＤ）
８      ベース部材
９      タイヤ
９ａ    バルブ
１０    カバー
【図１】
0003103386.tif 000003
【図２】
0003103386.tif 000004
【図３】
0003103386.tif 000005
【図４】
0003103386.tif 000006
【図５】
0003103386.tif 000007